(57)【要約】【課題】ユーザーが契約情報の削除操作を行っても、車載情報端末装置とセンター装置との間で情報の同一性を保つことができる車載情報端末、車載情報制御システムおよび車載情報制御方法を提供すること。【解決手段】車載情報端末装置１００から登録ユーザー情報の削除命令を入力すると、契約情報が記憶されたセンター装置２００に接続し、前記契約情報の解除命令を送信し、センター装置２００では、前記契約情報の解除命令を受信し、前記記憶された契約情報の解約処理を行うので、ユーザーが意識してセンター装置２００に接続しなくても、車載情報端末装置１００とセンター装置２００との間で情報の同一性を保つことができる。【選択図】図１
2008251054.tif 000002
【特許請求の範囲】
【請求項１】
車載情報端末装置からユーザー登録を行うことにより、情報提供者が前記登録ユーザーに対して情報の提供を許可する契約を締結し、この契約情報をセンター装置で記憶する車載情報制御システムにおいて、
前記車載情報端末装置は、前記センター装置と通信を行う端末通信手段と、
前記登録ユーザー情報とともに、前記センター装置に記憶された契約情報と同期した端末契約情報を記憶する端末記憶手段と、
前記登録ユーザー情報の削除命令を入力する情報削除命令入力手段と、
前記情報削除命令入力手段により前記登録ユーザー情報の削除命令が入力されたとき、前記端末記憶手段に記憶された端末契約情報を確認し、前記契約が締結されていない場合には、前記端末記憶手段に記憶された情報の削除を行い、前記契約が締結されている場合には、前記端末通信手段による前記センター装置との通信を行い、前記契約情報の解除命令を送信させる契約解除制御手段とを備え、
前記センター装置は、前記契約情報を記憶するセンター記憶手段と、
前記車載情報端末装置と通信を行い、前記契約情報の解除命令を受信するセンター通信手段と、
前記センター装置と正常に接続できたとき、前記センター記憶手段に記憶された契約情報の解約処理を行うセンター解約制御手段とを備え、
前記センター通信手段は、前記契約情報の解約処理ができたとき、前記車載情報端末装置に前記端末契約情報の消去を促す案内を送信し、
前記端末通信手段は、前記契約情報の解除命令を送信後、前記センター装置から前記端末契約情報の消去を促す案内を受信し、
前記契約解除制御手段は、前記端末記憶手段に記憶された端末契約情報において、前記契約が締結されている場合には、前記受信した端末契約情報の消去を促す案内に基づいて、前記端末記憶手段に記憶された情報の削除を促すことを特徴とする車載情報制御システム。
【請求項２】
車載情報端末装置からユーザー登録を行うことにより、情報提供者が前記登録ユーザーに対して情報の提供を許可する契約を締結した契約情報を記憶したセンター装置と、前記登録ユーザー情報とともに、前記センター装置に記憶された契約情報と同期した端末契約情報を記憶した車載情報端末装置と、を制御する車載情報制御方法において、
前記車載情報端末装置において前記登録ユーザー情報の削除命令を入力する情報削除命令入力ステップと、
前記情報削除命令入力ステップにより前記登録ユーザー情報の削除命令が入力されたとき、前記車載情報端末装置に記憶された端末契約情報を確認し、前記契約が締結されていない場合には、前記車載情報端末装置に記憶された情報の削除を行う契約解除制御ステップと、
前記情報削除命令入力ステップにより前記登録ユーザー情報の削除命令が入力されたとき、前記車載情報端末装置に記憶された端末契約情報を確認し、前記契約が締結されている場合には、前記センター装置に前記契約情報の解除命令を送信する解除命令送信ステップと、
前記センター装置で前記契約情報の解除命令を受信する解除命令受信ステップと、
前記センター装置と正常に接続できたとき、前記センター装置に記憶された契約情報の解約処理を行うセンター解約制御ステップと、
前記契約情報の解約処理ができたとき、前記センター装置から前記車載情報端末装置に前記端末契約情報の消去を促す案内を送信する消去案内送信ステップと、
前記車載情報端末装置において、前記端末契約情報の消去を促す案内を受信する解除促進受信ステップと、
を備え、
前記契約解除制御ステップは、前記車載情報端末に記憶された端末契約情報において、前記契約が締結されている場合には、前記受信した端末契約情報の消去を促す案内に基づいて、前記車載情報端末に記憶された情報の削除を促すことを特徴とする車載情報制御方法。
【請求項３】
ユーザー登録を行うことにより、情報提供者が前記登録ユーザーに対して情報の提供を許可する契約を締結した契約情報が記憶されたセンター装置と通信を行う車載情報端末装置において、
前記センター装置と通信を行う端末通信手段と、
前記登録ユーザー情報とともに、前記センター装置に記憶された契約情報と同期した端末契約情報を記憶する端末記憶手段と、
前記登録ユーザー情報の削除命令を入力する情報削除命令入力手段と、
前記情報削除命令入力手段により前記登録ユーザー情報の削除命令が入力されたとき、前記端末記憶手段に記憶された端末契約情報を確認し、前記契約が締結されていない場合には、前記端末記憶手段に記憶された情報の削除を行い、前記契約が締結されている場合には、前記端末通信手段による前記センター装置との通信を行い、前記契約情報の解除命令を送信させる契約解除制御手段とを備え、
前記端末通信手段は、前記契約情報の解除命令を送信後、前記センター装置から前記端末契約情報の消去を促す案内を受信し、
前記契約解除制御手段は、前記端末記憶手段に記憶された端末契約情報において、前記契約が締結されている場合には、前記受信した端末契約情報の消去を促す案内に基づいて、前記端末記憶手段に記憶された情報の削除を促すことを特徴とする車載情報端末装置。
【請求項４】
１契約につき複数のユーザーが登録でき、最初のユーザー登録を行うことにより、情報提供者が前記複数の登録ユーザーに対して情報の提供を許可する契約を締結した契約情報を記憶するセンター装置と通信を行う車載情報端末装置において、
前記センター装置と通信を行う端末通信手段と、
前記登録ユーザー情報とともに、前記センター装置に記憶された契約情報と同期した端末契約情報を記憶する端末記憶手段と、
前記全ての登録ユーザー情報の削除命令を入力する情報削除命令入力手段と、
前記情報削除命令入力手段により前記全ての登録ユーザー情報の削除命令が入力されたとき、前記端末記憶手段に記憶された端末契約情報を確認し、前記契約が締結されていない場合には、前記端末記憶手段に記憶された情報の削除を行い、前記契約が締結されている場合には、前記端末通信手段による前記センター装置との通信を行い、前記契約情報の解除命令を送信させる契約解除制御手段とを備え、
前記端末通信手段は、前記契約情報の解除命令を送信後、前記センター装置から前記端末契約情報の消去を促す案内を受信し、
前記契約解除制御手段は、前記端末記憶手段に記憶された端末契約情報において、前記契約が締結されている場合には、前記受信した端末契約情報の消去を促す案内に基づいて、前記端末記憶手段に記憶された情報の削除を促すことを特徴とする車載情報端末装置。
【発明の詳細な説明】
【技術分野】
【０００１】
本発明は、ユーザーが意識せずにセンター装置と端末装置に記憶された情報の整合をとることができる車載情報端末装置、車載情報制御システムおよび車載情報制御方法に関するものである。
【背景技術】
【０００２】
従来、車載情報制御システムとして、車両等でユーザーが使用して情報提供を受ける車載情報端末装置から、ユーザーが情報提供を行う情報提供者のセンター装置と接続して、ユーザーがリクエストを行うと、前記センター装置から前記車載情報端末装置に各種のコンテンツを提供するシステムがある。
【０００３】
このような場合、コンテンツを提供するセンター装置（情報提供者）は、そのコンテンツの維持管理や利益授受のため、情報提供を行うユーザーと契約を締結し、このユーザーに課金を行っている。この際、センター装置には、ユーザーとの契約情報を記憶して、ユーザーからコンテンツの要求があった場合には、契約情報を確認し、契約にしたがって提供している。
【０００４】
さらに、上記のように契約情報がセンター装置にしかない場合、ユーザーがコンテンツを使用したいとおもった場合、このコンテンツ使用の契約が済んでいるか否かを確認するために、一旦端末装置からセンター装置にアクセスしなければ確認できないため、端末装置側にも、上記契約情報を記憶し、端末装置側のみでコンテンツ使用の契約の有無を確認できるようにすることもできる。
【０００５】
ところが、このような同一の契約情報を、車載情報端末装置と、センター装置との双方で保持していると、双方の情報の同一性が崩れてしまう可能性がある。そこで、このような端末装置上のデータと、センター装置上のデータとの一致を保証させる必要がある。
【０００６】
ユーザー端末で保持する共有データをセンター装置で保持する共有データと一致させるシステムには、図５に示すように、ユーザーが端末装置からセンター装置にアクセスすると、センター装置１０がデータ配信プログラム１１を端末装置２０に返信し、端末装置２０で起動されたデータ配信プログラム１１が共有データＡの最終更新日時Ａをデータ群２１から取得して送り、センター装置１０が基データ群１３から取得した共有データＢの最終更新日時Ｂと最終更新日時Ａを比較して更新が必要な共有データＡに対する更新データを端末装置２０に返信することにより、自動的に端末装置に保持するデータを、センター装置に保持するデータに更新するシステムが考えられている（例えば、特許文献１参照）。
【特許文献１】特開２００２−１８９６２２号公報
【発明の開示】
【発明が解決しようとする課題】
【０００７】
しかしながら、従来の車載情報制御システムでは、ユーザーがセンター装置に接続せずに車載情報端末装置のみで、上記契約情報の削除や変更を加えてしまうと、車載情報端末装置とセンター装置との間で契約情報の同一性がとれないという問題があった。
【０００８】
本発明はこのような問題を解決するためになされたもので、ユーザーが契約情報の削除操作を行っても、車載情報端末装置とセンター装置との間で情報の同一性を保つことができる車載情報端末、車載情報制御システムおよび車載情報制御方法を提供するものである。
【課題を解決するための手段】
【０００９】
本発明の車載情報制御システムは、車載情報端末装置からユーザー登録を行うことにより、情報提供者が前記登録ユーザーに対して情報の提供を許可する契約を締結し、この契約情報をセンター装置で記憶する車載情報制御システムにおいて、前記車載情報端末装置は、前記センター装置と通信を行う端末通信手段と、前記登録ユーザー情報とともに、前記センター装置に記憶された契約情報と同期した端末契約情報を記憶する端末記憶手段と、前記登録ユーザー情報の削除命令を入力する情報削除命令入力手段と、前記情報削除命令入力手段により前記登録ユーザー情報の削除命令が入力されたとき、前記端末記憶手段に記憶された端末契約情報を確認し、前記契約が締結されていない場合には、前記端末記憶手段に記憶された情報の削除を行い、前記契約が締結されている場合には、前記端末通信手段による前記センター装置との通信を行い、前記契約情報の解除命令を送信させる契約解除制御手段とを備え、前記センター装置は、前記契約情報を記憶するセンター記憶手段と、前記車載情報端末装置と通信を行い、前記契約情報の解除命令を受信するセンター通信手段と、前記センター装置と正常に接続できたとき、前記センター記憶手段に記憶された契約情報の解約処理を行うセンター解約制御手段とを備え、前記センター通信手段は、前記契約情報の解約処理ができたとき、前記車載情報端末装置に前記端末契約情報の消去を促す案内を送信し、前記端末通信手段は、前記契約情報の解除命令を送信後、前記センター装置から前記端末契約情報の消去を促す案内を受信し、前記契約解除制御手段は、前記端末記憶手段に記憶された端末契約情報において、前記契約が締結されている場合には、前記受信した端末契約情報の消去を促す案内に基づいて、前記端末記憶手段に記憶された情報の削除を促すことを特徴とした構成を有している。
【００１０】
この構成により、車載情報端末装置から登録ユーザー情報の削除命令を入力すると、契約情報が記憶されたセンター装置に接続し、前記契約情報の解除命令を送信し、前記センター装置では、前記契約情報の解除命令を受信し、前記記憶された契約情報の解約処理を行うので、ユーザーが意識してセンター装置に接続しなくても、自動的にセンター装置に接続し契約情報を削除することができ、ユーザー登録情報だけが削除された契約情報が残ることを防止することができるとともに、車載情報端末装置に記憶された端末契約情報とセンター装置に記憶された契約情報との整合性を常に保つことができることとなる。
【００１１】
さらに、車載情報端末とセンター装置とが正常に接続できた場合にのみ、センター装置の契約情報の解除を行ってから、車載情報端末装置の端末契約情報の解除を促すことができ、通信状態が不安定であっても、車載情報端末とセンター装置との契約情報の同一性を正確に保つことができることとなる。また、登録ユーザー情報の削除命令が入力されたとき、端末契約情報を確認し、契約が締結されている場合には、センター装置と通信を行い、センター装置の契約情報を解除するので、ユーザーが登録ユーザー情報の削除命令のみを入力した場合であっても、意識せずに車載情報端末とセンター装置との契約情報の同一性を保つことができることとなる。
【００１２】
また、本発明の車載情報制御方法は、車載情報端末装置からユーザー登録を行うことにより、情報提供者が前記登録ユーザーに対して情報の提供を許可する契約を締結した契約情報を記憶したセンター装置と、前記登録ユーザー情報とともに、前記センター装置に記憶された契約情報と同期した端末契約情報を記憶した車載情報端末装置と、を制御する車載情報制御方法において、前記車載情報端末装置において前記登録ユーザー情報の削除命令を入力する情報削除命令入力ステップと、前記情報削除命令入力ステップにより前記登録ユーザー情報の削除命令が入力されたとき、前記車載情報端末装置に記憶された端末契約情報を確認し、前記契約が締結されていない場合には、前記車載情報端末装置に記憶された情報の削除を行う契約解除制御ステップと、前記情報削除命令入力ステップにより前記登録ユーザー情報の削除命令が入力されたとき、前記車載情報端末装置に記憶された端末契約情報を確認し、前記契約が締結されている場合には、前記センター装置に前記契約情報の解除命令を送信する解除命令送信ステップと、前記センター装置で前記契約情報の解除命令を受信する解除命令受信ステップと、前記センター装置と正常に接続できたとき、前記センター装置に記憶された契約情報の解約処理を行うセンター解約制御ステップと、前記契約情報の解約処理ができたとき、前記センター装置から前記車載情報端末装置に前記端末契約情報の消去を促す案内を送信する消去案内送信ステップと、前記車載情報端末装置において、前記端末契約情報の消去を促す案内を受信する解除促進受信ステップと、を備え、前記契約解除制御ステップは、前記車載情報端末に記憶された端末契約情報において、前記契約が締結されている場合には、前記受信した端末契約情報の消去を促す案内に基づいて、前記車載情報端末に記憶された情報の削除を促すことを特徴としている。
【００１３】
この方法により、車載情報端末装置から登録ユーザー情報の削除命令を入力すると、契約情報が記憶されたセンター装置に接続し、前記契約情報の解除命令を送信し、前記センター装置では、前記契約情報の解除命令を受信し、前記記憶された契約情報の解約処理を行い、前記センター装置から前記車載情報端末装置に端末契約情報の解除促進命令を送信するので、ユーザーが意識してセンター装置に接続しなくても、自動的にセンター装置に接続し契約情報を削除し、端末契約情報の解除促進命令も受信することができ、ユーザー登録情報だけが削除された契約情報が残ることを防止することができるとともに、端末契約情報の解除促進命令により、車載情報端末装置の契約情報も忘れずに削除することができ、確実に車載情報端末装置に記憶された端末契約情報とセンター装置に記憶された契約情報との整合性を保つことができることとなる。
【００１４】
さらに、車載情報端末とセンター装置とが正常に接続できた場合にのみ、センター装置の契約情報の解除を行ってから、車載情報端末装置の端末契約情報の解除を促すことができ、通信状態が不安定であっても、車載情報端末とセンター装置との契約情報の同一性を正確に保つことができることとなる。また、登録ユーザー情報の削除命令が入力されたとき、端末契約情報を確認し、契約が締結されている場合には、センター装置と通信を行い、センター装置の契約情報を解除するので、ユーザーが登録ユーザー情報の削除命令のみを入力した場合であっても、意識せずに車載情報端末とセンター装置との契約情報の同一性を保つことができることとなる。
【００１５】
さらに、本発明の車載情報端末装置は、ユーザー登録を行うことにより、情報提供者が前記登録ユーザーに対して情報の提供を許可する契約を締結した契約情報が記憶されたセンター装置と通信を行う車載情報端末装置において、前記センター装置と通信を行う端末通信手段と、前記登録ユーザー情報とともに、前記センター装置に記憶された契約情報と同期した端末契約情報を記憶する端末記憶手段と、前記登録ユーザー情報の削除命令を入力する情報削除命令入力手段と、前記情報削除命令入力手段により前記登録ユーザー情報の削除命令が入力されたとき、前記端末記憶手段に記憶された端末契約情報を確認し、前記契約が締結されていない場合には、前記端末記憶手段に記憶された情報の削除を行い、前記契約が締結されている場合には、前記端末通信手段による前記センター装置との通信を行い、前記契約情報の解除命令を送信させる契約解除制御手段とを備え、前記端末通信手段は、前記契約情報の解除命令を送信後、前記センター装置から前記端末契約情報の消去を促す案内を受信し、前記契約解除制御手段は、前記端末記憶手段に記憶された端末契約情報において、前記契約が締結されている場合には、前記受信した端末契約情報の消去を促す案内に基づいて、前記端末記憶手段に記憶された情報の削除を促すことを特徴とした構成を有している。
【００１６】
この構成により、登録ユーザー情報の削除命令を入力すると、契約情報が記憶されたセンター装置に接続し、前記契約情報の解除命令を送信するので、ユーザーが意識してセンター装置に接続しなくても、自動的にセンター装置に接続し、センター装置に契約情報の削除命令を送信することができ、ユーザー登録情報だけが削除された契約情報が残ることを防止することができるとともに、車載情報端末装置に記憶された端末契約情報とセンター装置に記憶された契約情報との整合性を常に保つことができることとなる。
【００１７】
さらに、車載情報端末とセンター装置とが正常に接続できた場合にのみ、車載情報端末装置の端末契約情報の消去を促す案内を受信することができ、通信状態が不安定であっても、車載情報端末とセンター装置との契約情報の同一性を正確に保つことができることとなる。また、登録ユーザー情報の削除命令が入力されたとき、端末契約情報を確認し、契約が締結されている場合には、センター装置に契約情報の解除命令を送信させるので、ユーザーが登録ユーザー情報の削除命令のみを入力した場合であっても、意識せずに車載情報端末とセンター装置との契約情報の同一性を保つことができることとなる。
【００１８】
また、本発明の車載情報端末装置は、１契約につき複数のユーザーが登録でき、最初のユーザー登録を行うことにより、情報提供者が前記複数の登録ユーザーに対して情報の提供を許可する契約を締結した契約情報を記憶するセンター装置と通信を行う車載情報端末装置において、前記センター装置と通信を行う端末通信手段と、前記登録ユーザー情報とともに、前記センター装置に記憶された契約情報と同期した端末契約情報を記憶する端末記憶手段と、前記全ての登録ユーザー情報の削除命令を入力する情報削除命令入力手段と、前記情報削除命令入力手段により前記全ての登録ユーザー情報の削除命令が入力されたとき、前記端末記憶手段に記憶された端末契約情報を確認し、前記契約が締結されていない場合には、前記端末記憶手段に記憶された情報の削除を行い、前記契約が締結されている場合には、前記端末通信手段による前記センター装置との通信を行い、前記契約情報の解除命令を送信させる契約解除制御手段とを備え、前記端末通信手段は、前記契約情報の解除命令を送信後、前記センター装置から前記端末契約情報の消去を促す案内を受信し、前記契約解除制御手段は、前記端末記憶手段に記憶された端末契約情報において、前記契約が締結されている場合には、前記受信した端末契約情報の消去を促す案内に基づいて、前記端末記憶手段に記憶された情報の削除を促すことを特徴とした構成を有している。
【００１９】
この構成により、登録された全ての登録ユーザー情報の削除命令を入力すると、契約情報が記憶されたセンター装置に接続し、前記契約情報の解除命令を送信するので、ユーザーが意識してセンター装置に接続しなくても、自動的にセンター装置に接続し、センター装置に契約情報の削除命令を送信することができ、ユーザー登録情報だけが削除された契約情報が残ることを防止することができるとともに、ユーザーが削除する登録ユーザーの数を意識することなく削除することができ、車載情報端末装置に記憶された端末契約情報とセンター装置に記憶された契約情報との整合性を常に保つことができることとなる。
【００２０】
さらに、車載情報端末とセンター装置とが正常に接続できた場合にのみ、車載情報端末装置の端末契約情報の消去を促す案内を受信することができ、通信状態が不安定であっても、車載情報端末とセンター装置との契約情報の同一性を正確に保つことができることとなる。
【発明の効果】
【００２１】
以上説明したように、本発明は、車載情報端末装置から登録ユーザー情報の削除命令を入力すると、契約情報が記憶されたセンター装置に接続し、前記契約情報の解除命令を送信し、前記センター装置では、前記契約情報の解除命令を受信し、前記記憶された契約情報の解約処理を行うことにより、ユーザーが意識してセンター装置に接続しなくても、自動的にセンター装置に接続し契約情報を削除することができ、ユーザー登録情報だけが削除された契約情報が残ることを防止することができるとともに、車載情報端末装置に記憶された端末契約情報とセンター装置に記憶された契約情報との整合性を常に保つことができるというすぐれた効果を有する車載情報制御システムを提供することができるものである。
【００２２】
さらに、車載情報端末とセンター装置とが正常に接続できた場合にのみ、センター装置の契約情報の解除を行ってから、車載情報端末装置の端末契約情報の解除を促すことができ、通信状態が不安定であっても、車載情報端末とセンター装置との契約情報の同一性を正確に保つことができるというすぐれた効果を有する車載情報制御システムを提供することができるものである。また、登録ユーザー情報の削除命令が入力されたとき、端末契約情報を確認し、契約が締結されている場合には、センター装置と通信を行い、センター装置の契約情報を解除するので、ユーザーが登録ユーザー情報の削除命令のみを入力した場合であっても、意識せずに車載情報端末とセンター装置との契約情報の同一性を保つことができるというすぐれた効果を有する車載情報制御システムを提供することができるものである。
【発明を実施するための最良の形態】
【００２３】
以下、本発明の実施の形態について、図面を用いて説明する。
【００２４】
（第１の実施の形態）
まず、本発明の第１の実施の形態における車載情報制御システムの構成図を、図１に示す。図１に示すように、本実施の形態の車載情報制御システムは、ユーザーとの契約情報を記憶するセンター装置２００と、センター装置２００に記憶された契約情報と同期した端末契約情報を記憶する車載情報端末装置１００とを備え、センター装置２００と車載情報端末装置１００とは、ネットワーク３００で接続されている。車載情報端末装置１００は、複数接続されるが、図１では１つのみ示している。
【００２５】
車載情報端末装置１００は、車両等に搭載されてユーザーが使用するものであり、ユーザーの操作情報を入力する操作入力部１１０と、前記端末契約情報を記憶する端末記憶部１２０と、センター装置２００と通信を行い、センター装置２００と契約情報や提供情報の送受信を行う端末通信部１３０と、ユーザーへの操作案内や提供する情報の表示を行う端末表示部１４０と、この車載情報端末装置１００の各部を制御する端末制御部１９０とを備えている。
【００２６】
センター装置２００は、例えば、車載情報端末装置１００に比べてより高度な機能、性能を持ったサーバーと呼ばれるような情報処理装置で実現され、道路地図等の経路案内情報（以下、カーナビゲーション情報という）やゲーム等（以下、まとめてコンテンツという）の情報提供を行う情報提供者のサーバーである。また、センター装置２００は、車載情報端末装置１００と通信を行い、車載情報端末装置１００から前記契約情報の解除命令やコンテンツの送受信を行うセンター通信部２１０と、前記契約情報やコンテンツを記憶するセンター記憶部２２０と、このセンター装置２００の各部を制御するセンター制御部２９０とを備えている。
【００２７】
ここで、前記契約情報とは、ユーザーが情報提供者から各種のコンテンツの提供を受けるために、情報提供者とユーザーとが結んだ契約内容の情報であり、この契約情報が検索されることにより、ユーザーは情報提供者から各種のコンテンツの提供が許可されるものである。上記契約を結ぶことにより、センター記憶部２２０に契約情報が作成され、例えば、この契約情報があるユーザーのみがカーナビゲーション情報等のコンテンツの提供を受けることができる。
【００２８】
また、端末契約情報とは、前記契約締結時に、センター装置２００側の契約情報作成と同期して車載情報端末装置１００側に作成される情報であり、この端末契約情報により、車載情報端末装置１００がセンター装置２００と接続されていなくても、契約内容を確認したり、使用可能なコンテンツを把握したりすることができる。
【００２９】
ユーザーの操作情報とは、ユーザーが車載情報端末装置１００の操作入力部１１０から入力した操作指示の情報をいう。
【００３０】
また、車載情報端末装置１００の操作入力部１１０は、例えば、キーボード、タッチパネル、タブレット等の入力装置により構成され、数字、文字および記号等によりユーザーの操作情報を入力するようになっている。なお、本実施の形態において、操作入力部１１０は、キーボードで構成されているものとし、ユーザーごとに情報を削除する個別削除キー、登録されている全ユーザーの情報を削除する全ユーザー削除キー、本システムを使用するユーザー等を選択する選択キー、情報提供者との契約締結を行う契約実行キー、ユーザー自身が作成する情報等を入力するための文字キーを備えている。
【００３１】
また、端末記憶部１２０は、例えば、半導体メモリ、磁気ディスク、磁気光ディスク等で構成され、端末通信部１３０を介してセンター装置２００から受信した契約情報による端末契約情報、操作入力部１１０により入力されたユーザーが入力したユーザー作成情報を記録するようになっている。
【００３２】
また、端末表示部１４０は、例えば、画像処理回路、液晶ディスプレイ等で構成され、コンテンツの表示、ユーザーの操作案内や入力操作の表示を行うようになっている。
【００３３】
また、端末制御部１９０は、例えば、ＣＰＵ、ＲＯＭ、ＲＡＭ等により構成され、操作入力部１１０から前記端末契約情報の解除命令が入力されたとき、端末通信部１３０を介してセンター装置２００に前記契約情報の解除命令を送信させる等、この車載情報端末装置１００の各部を制御する。
【００３４】
さらに、センター装置２００のセンター記憶部２２０は、例えば、半導体メモリ、磁気ディスク、磁気光ディスク等で構成され、前記契約情報およびユーザーに提供するコンテンツ等を記録するようになっている。
【００３５】
また、センター制御部２９０は、例えば、ＣＰＵ、ＲＯＭ、ＲＡＭ等により構成され、センター通信部２１０を介して前記契約情報の解除命令を受信したとき、センター記憶部２２０に記憶された契約情報の解約処理を行う等、このセンター装置２００の各部を制御する。
【００３６】
次に、本実施の形態における車載情報制御システムの動作について、図２、図３にフローチャートを示し、説明する。本実施の形態において、車載情報端末装置１００は、１契約につき２つのユーザー登録ができるようになっている。
【００３７】
最初に、図２を参照して、本実施の形態の車載情報制御システムにおけるユーザー登録処理について簡単に説明する。
【００３８】
図２において、まず、車載情報制御システムが起動されると、本システムを使用するユーザーの選択画面が表示され、ユーザーにより車載情報端末装置１００の操作入力部１１０から使用ユーザーが選択される（ステップｓ１０１）。使用ユーザーが選択されると、車載情報端末装置１００が情報提供者と契約済みか否かが判断される（ステップｓ１０２）。ここで、契約済みであれば、選択されたユーザーが登録済みか否かが判断され（ステップｓ１０９）、契約済みでなければ、契約締結画面を表示する（ステップｓ１０３）。
【００３９】
次に、ユーザーにより車載情報端末装置１００の操作入力部１１０から情報提供者との契約締結を行う契約実行キーの入力を待ち（ステップｓ１０４）、契約実行キーが受け付けられないときは本処理を終了し、契約実行キーを押下されたときには、センター装置との接続を行う（ステップｓ１０５）。センター装置２００と正常に接続ができたら、センター装置２００で契約情報の作成を行い、センター記憶部２２０に記憶するとともに、車載情報端末装置１００の端末記憶部１２０にも上記契約情報と同期した端末契約情報を記憶する（ステップｓ１０６）。
【００４０】
次いで、センター装置２００の契約情報、車載情報端末装置１００の端末契約情報が、正常に作成されたら、ユーザー登録を行う（ステップｓ１０７）。ここでは、上記選択されたユーザーでユーザー登録処理が行われる。
【００４１】
ユーザー登録が、正常に行われたら、センター装置２００からコンテンツのサービス提供画面を車載情報端末装置１００に送信し、車載情報端末装置１００の端末表示部１４０に表示する（ステップｓ１０８）。
【００４２】
上記車載情報端末装置１００の契約済み判断処理（ステップｓ１０２）で、契約済みであった場合には、選択されたユーザーが登録済みか否かが判断される（ステップｓ１０９）。ここで、選択されたユーザーが登録済みでない場合には、上記ユーザー登録処理（ステップｓ１０７）を行い、選択されたユーザーが登録済みならば、上記サービス画面表示処理（ステップｓ１０８）を行って、本ユーザー登録処理を終了する。
【００４３】
したがって、初めて本システムを使用するときには、情報提供者との契約が締結されてから、指定されたユーザーでユーザー登録が行われ、本システムが使用可能となり、１ユーザー登録済みで他のユーザー使用時には、自動的に他のユーザー登録が行われて、本システムを使用することができる。
【００４４】
次に、図３を参照して、本実施の形態の車載情報制御システムにおけるユーザーごとの情報削除処理について説明する。ここでは既に、車載情報端末装置１００からセンター装置２００に対して、１ユーザーの登録処理が完了しているものとする。
【００４５】
図３において、まず、ユーザーにより車載情報端末装置１００の操作入力部１１０からユーザー消去操作が入力される（ステップｓ３０１）と、当該ユーザーが契約中であるか否かを、車載情報端末装置１００側で端末記憶部１２０に記憶されている端末契約情報を検索して、確認する（ステップｓ３０２）。ここで、当該ユーザーが契約中でなければ、車載情報端末装置１００内の情報消去処理を行い（ステップｓ３０８）、処理を終了する。契約中の場合には、ブラウザを起動して、センター装置２００と接続する（ステップｓ３０３）。
【００４６】
次に、センター装置２００と正常に接続できたか否かを確認する（ステップｓ３０４）。センター装置２００と正常に接続ができなければ、本処理を終了し、正常に接続できた場合には、当該ユーザーの解約処理を行う（ステップｓ３０５）。ここでのユーザー解約処理は、センター装置２００側で、センター記憶部２２０に記憶されている契約情報の解約処理を行う。
【００４７】
次いで、センター装置２００においてユーザーの解約処理が正常に完了したか否かを確認する（ステップｓ３０６）。解約処理が正常にできなければ、本処理を終了し、正常に解約処理ができた場合には、車載情報端末装置１００内の情報の消去を促す案内を、センター装置２００から車載情報端末装置１００に送信する（ステップｓ３０７）。ここで、車載情報端末装置１００の端末記憶部１２０に記憶された端末契約情報にセンター側契約解除のフラグをたてておくと、ユーザー情報消去処理のたびにセンター装置２００と通信を行わずにユーザー消去処理を行うことができる。また、この情報消去案内およびセンター解約処理フラグ更新後、センター装置２００から車載情報端末装置１００との通信を切断するようにしてもよい。
【００４８】
車載情報端末装置１００内の情報の消去案内を受信したら、ユーザーは、車載情報端末装置１００内の情報の消去処理を行い（ステップｓ３０８）、本処理を終了する。
【００４９】
以上の処理により、車載情報端末装置１００でユーザー情報の削除を行う場合に、意識してセンター装置２００に接続しなくても、センター装置２００側に契約情報が残っている場合には、センター装置２００と接続して、センター装置２００側の契約情報を削除するので、車載情報端末装置１００側の契約情報が削除され、センター装置２００側の契約情報だけが残ることが無くなり、センター側と端末側との契約情報を常に一致させておくことができ、契約情報不整合による問題を回避することができる。
【００５０】
（第２の実施の形態）
次に、本発明の第２の実施の形態の車載情報制御システムについて説明する。本実施の形態における車載情報制御システムの構成は、上記実施の形態と同様であるので、説明を省略する。
【００５１】
次に、本実施の形態の車載情報制御システムの動作について、図４にフローチャートを示し、説明する。
【００５２】
以下、図４を参照して、本実施の形態の車載情報制御システムにおける全ユーザー情報の削除処理について説明する。ここでは既に、車載情報端末装置１００からセンター装置２００に対して、２ユーザーの登録処理が完了しているものとする。
【００５３】
図４において、まず、ユーザーにより車載情報端末装置１００の操作入力部１１０から全ユーザー消去操作が入力される（ステップｓ４０１）と、登録されているユーザーで契約中のユーザーがあるか否かを、車載情報端末装置１００側で端末記憶部１２０に記憶されている端末契約情報を検索して、確認する（ステップｓ４０２）。ここで、契約中のユーザーがなければ、車載情報端末装置１００内の情報消去処理を行い（ステップｓ４０９）、処理を終了する。登録されているユーザーの内いずれかが契約中の場合には、ブラウザを起動して、センター装置２００と接続する（ステップｓ４０３）。
【００５４】
次に、センター装置２００と正常に接続できたか否かを確認する（ステップｓ４０４）。センター装置２００と正常に接続ができなければ、本処理を終了し、正常に接続できた場合には、当該ユーザーの解約処理を行う（ステップｓ４０５）。ここでのユーザー解約処理は、センター装置２００側で、センター記憶部２２０に記憶されている契約情報の解約処理を行う。
【００５５】
次いで、センター装置２００においてユーザーの解約処理が正常に完了したか否かを確認する（ステップｓ４０６）。解約処理が正常にできなければ、本処理を終了し、正常に解約処理ができた場合には、車載情報端末装置１００内の情報の消去を促す案内を、センター装置２００から車載情報端末装置１００に送信する（ステップｓ４０８）。ここでも、上記実施の形態と同様に、車載情報端末装置１００の端末記憶部１２０に記憶された端末契約情報にセンター側契約解除のフラグをたてておくと、ユーザー情報消去処理のたびにセンター装置２００と通信を行わずにユーザー消去処理を行うことができる。また、この情報消去案内およびセンター解約処理フラグ更新後、センター装置２００から車載情報端末装置１００との通信を切断するようにしてもよい。
【００５６】
車載情報端末装置１００内の情報の消去案内を受信したら、ユーザーは、車載情報端末装置１００内の情報の消去処理を行い（ステップｓ４０９）、本処理を終了する。
【００５７】
以上の処理により、車載情報端末装置１００で全てのユーザー情報の削除を行う場合に、意識してセンター装置２００に接続しなくても、センター装置２００側に契約情報が残っている場合には、センター装置２００と接続して、センター装置２００側に残っている契約情報を削除するので、車載情報端末装置１００側の契約情報が削除され、センター装置２００側の契約情報だけが残ることが無くなり、センター側と端末側との契約情報を常に一致させておくことができ、契約情報不整合による問題を回避することができる。
【図面の簡単な説明】
【００５８】
【図１】本発明の第１の実施の形態における車載情報制御システムの構成を示すブロック図
【図２】本発明の第１の実施の形態におけるユーザー登録処理を示すフローチャート
【図３】本発明の第１の実施の形態におけるユーザーごとの情報削除処理を示すフローチャート
【図４】本発明の第２の実施の形態における全ユーザー情報の削除処理を示すフローチャート
【図５】従来のユーザー端末で保持する共有データと、センター装置で保持する共有データとを一致させるシステムの一例を示すブロック図
【符号の説明】
【００５９】
１０  センター装置
１１  データ配信プログラム
１２  配信データ収集プログラム
１３  基データ群
１９  記録媒体
２０  端末装置
２１  データ群
２２  データ配信プログラム域
２９  ネットワーク
１００  車載情報端末装置
１１０  操作入力部
１２０  端末記憶部
１３０  端末通信部
１４０  端末表示部
１９０  端末制御部
２００  センター装置
２１０  センター通信部
２２０  センター記憶部
２９０  センター制御部
３００  ネットワーク
【図１】
2008251054.tif 000003
【図２】
2008251054.tif 000004
【図３】
2008251054.tif 000005
【図４】
2008251054.tif 000006
【図５】
2008251054.tif 000007